【事件の表示】
　特願２０１５−５２０３４５「ステンシルワイパースポットクリーナー組立体および関連する方法」拒絶査定不服審判事件〔平成２６年　１月　３日国際公開、ＷＯ２０１４／００４３２９、平成２７年１０月　１日国内公表、特表２０１５−５２８７５８、請求項の数（１１）〕について、次のとおり審決する。
【結　論】
　原査定を取り消す。
　本願の発明は、特許すべきものとする。
【理　由】
第１　手続の経緯
　本願は、２０１３年（平成２５年）６月２３日（パリ条約による優先権主張、外国庁受理２０１２年（平成２４年）６月２７日（以下、「優先日」という。）、米国）を国際出願日とする出願であって、平成２９年６月１３日付けで拒絶理由が通知され、同年９月１４日に意見書が提出されるとともに手続補正がなされたが、同年１２月２５日付けで拒絶査定がなされ、これに対して平成３０年５月８日に拒絶査定不服審判の請求がなされると同時に手続補正がなされ、同年１０月２４日付けで拒絶理由が通知され、同年１１月１６日に意見書が提出されるとともに手続補正がなされたものである。
第２　原査定の概要
　平成２９年１２月２５日付け拒絶査定（以下、「原査定」という。）の概要は次のとおりである（引用文献については、下記の引用文献等一覧を参照。）。
　本願請求項１，１４に係る発明は、引用文献１に記載された発明、並びに、引用文献２及び３に記載された周知技術に基づいて、当業者が容易に発明をすることができたものであるから、特許法第２９条第２項の規定により特許を受けることができない。
引用文献等一覧
１．特開２００３−２６０７８１号公報
２．特開平６−１２２１９０号公報
３．米国特許出願公開第２０１２／１４５０１５号明細書
第３　当審拒絶理由の概要
　平成３０年１０月２４日付け拒絶理由（以下、「当審拒絶理由」という。）の概要は次のとおりである（引用文献については、下記の引用文献等一覧を参照。）。
　１　請求項１３，１４の記載は、特許法第３６条第６項第２号に規定する要件を満たしていない。
　２　請求項１−１４の記載は、特許法第３６条第６項第１号に規定する要件を満たしていない。
　３　請求項１−１２，１４に係る発明は、引用文献１に記載された発明、並びに、引用文献２及び３に記載された周知技術に基づいて、当業者が容易に発明をすることができたものであり、特許法第２９条第２項の規定により特許を受けることができない。
引用文献等一覧
１．特開２００３−２６０７８１号公報
２．特開平６−１２２１９０号公報
３．米国特許出願公開第２０１２／１４５０１５号明細書
第４　本願発明
　本願請求項１−１１に係る発明（以下、それぞれ「本願発明１」−「本願発明１１」という。）は、平成３０年１１月１６日付けの手続補正による補正（以下、「本件補正」という。）がなされた特許請求の範囲の請求項１−１１に記載された次の事項により特定されるとおりの発明である。
　【請求項１】
「上面および下面を有するステンシルと、
　前記ステンシルの前記上面に材料を塗布する材料塗布機と、
　前記ステンシルの前記下面をＹ軸方向に清掃するステンシルワイパー組立体であって、該ステンシルワイパー組立体はワイパーブレード組立体を有し、該ワイパーブレード組立体は、前記ステンシルの前記下面に係合し、該ステンシルワイパー組立体がステンシルワイパーガントリに沿って移動するときに前記ステンシルの前記下面を拭くように構成されている、ステンシルワイパー組立体と、
　前記ステンシルワイパー組立体に可動に取り付けられているスポットクリーナー組立体であって、清掃ヘッドを含むと共に、Ｘ軸方向に移動し、前記ステンシルの前記下面をスポット清掃するように構成されているスポットクリーナー組立体と、を具備するステンシルプリンターであって、
　前記清掃ヘッドは、余剰のはんだペーストおよびフラックスを収集する交換可能な媒体と、前記交換可能な媒体を濡らす溶剤吐出システムと、前記ステンシルを通して該清掃ヘッドの前記交換可能な媒体に空気を引き込む真空システムとを含んでおり、
　該ステンシルプリンターは、更に、
　前記ステンシルワイパー組立体および前記スポットクリーナー組立体の移動を制御し、前記清掃ヘッドを、スポット清掃作業を行う所望の場所に位置決めするとともに、前記溶剤吐出システムの動作と、前記清掃ヘッドの揺動または回転と、前記真空システムの動作とを制御するように構成されているコントローラーと、を具備するステンシルプリンター。」
　【請求項２】
「前記スポットクリーナー組立体は、前記ステンシルワイパー組立体のフレームに固定されているフレーム部材を含む請求項１に記載のステンシルプリンター。」
　【請求項３】
「前記スポットクリーナー組立体は、支持ブラケットにより支持されているキャリッジを更に含み、該キャリッジは、前記フレーム部材に沿って走行するように構成されている請求項２に記載のステンシルプリンター。」
　【請求項４】
「前記スポットクリーナー組立体は、前記支持ブラケットを移動させるように構成されているＸ軸駆動装置を更に含む請求項３に記載のステンシルプリンター。」
　【請求項５】
「前記Ｘ軸駆動装置は、モーターにより回転駆動されるボールねじを含む請求項４に記載のステンシルプリンター。」
　【請求項６】
「前記スポットクリーナー組立体の前記清掃ヘッドは、前記キャリッジにより支持されている請求項３に記載のステンシルプリンター。」
　【請求項７】
「前記交換可能な媒体は紙ワイパーまたはスポンジ材を含む請求項１に記載のステンシルプリンター。」
　【請求項８】
「前記清掃ヘッドは、前記揺動または回転によって、前記ステンシルに付着しているはんだペーストおよびフラックスを遊離させるよう構成されている請求項６に記載のステンシルプリンター。」
　【請求項９】
「前記スポットクリーナー組立体は、前記清掃ヘッドをＺ軸方向に移動させるように構成されているアクチュエーターを更に含む請求項６に記載のステンシルプリンター。」
　【請求項１０】
「ステンシルプリンターのステンシルを清掃する方法において、
　前記ステンシルの下面に係合するワイパーブレード組立体であって、ステンシルワイパー組立体がステンシルワイパーガントリに沿って移動するとき、前記ステンシルの前記下面を拭くように構成されているワイパーブレード組立体を有したステンシルワイパー組立体を移動して、前記ステンシルの下面をＹ軸方向に清掃することと、
　前記ステンシルワイパー組立体に結合され前記ステンシルの前記下面をスポット清掃するスポットクリーナー組立体であって、溶剤吐出システムと真空システムとを含む清掃ヘッドを具備するスポットクリーナー組立体をＸ軸方向に移動させることと、
　前記ステンシルワイパー組立体および前記スポットクリーナー組立体の移動を制御することであって、前記清掃ヘッドを、スポット清掃作業を行う所望の場所に位置決めすることと、
　前記清掃ヘッドの交換可能な媒体を濡らす前記溶剤吐出システムの動作と、前記清掃ヘッドの揺動／回転と、前記ステンシルを通して前記清掃ヘッドの前記交換可能な媒体に空気を引き込む前記真空システムの動作とを制御することと、を含む方法。」
　【請求項１１】
「前記ステンシルプリンターにより印刷されたプリント回路基板および前記ステンシルのうちの一方を検査することであって、欠陥を検出することを更に含む請求項１０に記載の方法。」
第５　引用文献
　１　引用文献１
　（１）　当審拒絶理由に引用された引用文献１には、次の記載がある（下線は当審で付した。）。
　ア　「【００２１】
【発明の実施の形態】
本実施の形態のスクリーン印刷装置は、
所定の回数の印刷を行なう毎に、スクリーンをクリーニング手段によってクリーニングするようにしたものである。ここでクリーニング手段として、吸引クリーニング手段、超音波クリーニング手段、および乾拭きクリーニング手段の３種類のクリーニング手段を備える。
　イ　「【００２２】
吸引クリーニング手段はスクリーンの下部にロールペーパを設置するものである。ロールペーパの未使用部分は供給ロールに巻装されており、この供給ロールから供給されたロールペーパが吸引ロールに所定の角度巻付けられた後巻取りロールによって巻取られるようになっている。
　ウ　「【００２３】
吸引ロールは断面が円形のパイプを加工したものであって、ロールペーパから成るクリーニングペーパを介してスクリーンへ押付けられる。
　エ　「【００３１】上記一対の
案内レール１１、１２によってさらに別のキャリッジ６５が支持されるようになっている。キャリッジ６５にはクリーニングユニット１９が支持されている。クリーニングユニット１９は後述するクリーニングクロス等によってスクリーンの下面をクリーニングするためのものである。そしてクリーニングユニット１９は吸引クリーニング手段および超音波クリーニング手段を備えている。
　オ　「【００３９】次にこのスクリーン印刷装置のとくにスクリーン２５の下面のクリーニングのための機構について図４〜図７によって説明する。
カメラユニット１４をＸ軸方向に移動させる上下一対の案内レール１１、１２によって図４に示すようにキャリッジ６５が設けられている。このキャリッジ６５には吸引クリーニング手段６６が設けられている。吸引クリーニング手段６６は供給ロール６７、巻取りロール６８、および吸引ロール６９を備えている。
　カ　「【００４０】クリーニングクロス７１が供給ロール６７から繰出され、巻取りロール６８に巻取られるようになっており、このときに
吸引ロール６９がクリーニングクロス７１を介してスクリーン２５の下面をクリーニングする。
　キ　「【００４１】上記
キャリッジ６５にさらに超音波クリーニング手段７５が設けられている。超音波クリーニング手段７５は矩形の板状体から成る架台７６を備え、この上に図６に示すようにばね７７を介して超音波振動子７８を備えるクリーニングヘッドを支持している。
　ク　「【００４２】
上記架台７６が図４Ａに示すようにＺ軸レール８０によって上下方向に移動可能になっており、しかもＺ軸レール８０を備えるＺ軸テーブル８１がＹ軸レール８２によってＹ軸方向、すなわちスキージの移動方向と直角な横方向に移動可能になっている。
　ケ　「【００４４】図８はこのような
３種類のクリーニング手段の駆動部の制御系を示しており、この制御系はコントローラ１００を備えるとともに、このコントローラ１００に対してその入力側に入力装置９９が接続される。これに対してコントローラ１００の出力側には、吸引、超音波Ｘ軸ドライブ１０１、吸引クリーナＺ軸ドライブ１０２、超音波クリーナＺ軸ドライブ１０３、超音波クリーナＹ軸ドライブ１０４、超音波クリーナ駆動部１０５、カメラユニットＸ軸ドライブ１０８、カメラユニットＹ軸ドライブ１０９、乾拭きクリーナＺ軸ドライブ１１０がそれぞれ接続されている。
　コ　「【００５４】図９のフローチャートに基いて、吸引クリーニング、超音波クリーニング、乾拭きクリーニングの順にクリーニング動作を行なう場合を説明する。吸引クリーナＺ軸ドライブ１０２を駆動し、これによって吸引クリーニング手段６６をＺ軸レール７２に沿って上昇させる。そしてこの後に
吸引ロール６９を真空吸引し、スリット７０によってクリーニングクロス７１をクリーニング動作させる。このときのスクリーン２５の下面のクリーニング領域は、吸引、超音波Ｘ軸ドライブ１０１によるキャリッジ６５の移動ストロークによって調整される。
　サ　「【００５５】この後に超音波クリーニングを行なう場合には、超音波クリーナＺ軸ドライブ１０３を作動させてクリーニングヘッドをスクリーン２５の下面に接触させる。そして
超音波クリーナ駆動部１０５によって超音波振動子７８を振動させながらリング状部材７９から供給されるクリーニング液によって超音波クリーニングを行なう。このときのスクリーン２５の下面のクリーニング領域はキャリッジ６５のＸ軸方向の移動量とＹ軸レール８２に沿った超音波クリーニング手段７５の移動量とによって調整される。そして所定の領域の超音波クリーニングを終了したならば、超音波クリーナＺ軸ドライブ１０３によって超音波クリーニング手段７５を下降させる
　（２）　引用発明１の認定 
　上記（１）より、引用文献１には、次の発明（以下、「引用発明１」という。）が記載されていると認められる。
「所定の回数の印刷を行なう毎に、スクリーンをクリーニングする、吸引クリーニング手段、超音波クリーニング手段、および乾拭きクリーニング手段の３種類のクリーニング手段と、
　出力側に、吸引、超音波Ｘ軸ドライブ、吸引クリーナＺ軸ドライブ、超音波クリーナＺ軸ドライブ、超音波クリーナＹ軸ドライブ、超音波クリーナ駆動部、カメラユニットＸ軸ドライブ、カメラユニットＹ軸ドライブ、乾拭きクリーナＺ軸ドライブがそれぞれ接続されているコントローラを備える、前記３種類のクリーニング手段の駆動部の制御系と、を備え、
　前記吸引クリーニング手段は、カメラユニットをＸ軸方向に移動させる上下一対の案内レールによって支持されたキャリッジに設けられ、前記スクリーンの下部にロールペーパを設置するものであって、前記ロールペーパの未使用部分は供給ロールに巻装されており、前記供給ロールから供給された前記ロールペーパが吸引ロールに所定の角度巻付けられた後巻取りロールによって巻取られるようになっており、前記吸引ロールが前記ロールペーパから成るクリーニングペーパを介して前記スクリーンへ押付けられて前記スクリーンの下面をクリーニングし、前記スクリーンの下面のクリーニング領域は、前記吸引、超音波Ｘ軸ドライブによる前記キャリッジの移動ストロークによって調整され、
　前記超音波クリーニング手段は、前記キャリッジに設けられ、矩形の板状体から成る架台を備え、この上にばねを介して超音波振動子を備えるクリーニングヘッドが支持され、超音波クリーナ駆動部によって前記超音波振動子を振動させながらリング状部材から供給されるクリーニング液によって超音波クリーニングを行ない、前記架台はＺ軸レールによって上下方向に移動可能になっており、しかも前記Ｚ軸レールを備えるＺ軸テーブルがＹ軸レールによってＹ軸方向、すなわちスキージの移動方向と直角な横方向に移動可能になっており、前記超音波クリーニング手段によるスクリーンの下面のクリーニング領域は前記キャリッジのＸ軸方向の移動量と前記Ｙ軸レールに沿った前記超音波クリーニング手段の移動量とによって調整され、所定の領域の超音波クリーニングを終了したならば前記超音波クリーナＺ軸ドライブによって前記超音波クリーニング手段を下降させる、スクリーン印刷装置。」
　２　引用文献２及び３について
　（１）　当審拒絶理由に引用された引用文献２には、次の記載がある（下線は当審で付した。）。
　ア　「【００１４】図１及び図２は本発明の原理図を示す。これらの図において、１は印刷用スクリーンであり、プリント基板等にクリームはんだ等の印刷用ペーストを印刷するための印刷パターン２が形成されている。
３Ａは清掃シート３の巻回体である繰り出し側ロール、３Ｂは巻き取り側ロールである。１１は空気吸引部であり、空気吸引口１２を有し、かつ吸引口１２の両側に近接して掻き取りブレード４Ａ，４Ｂを具備している。
　イ　「【００１５】
【作用】本発明の原理図である図１の状態で、溶剤吐出ノズル１３から溶剤を吐出して繰り出し側ロール３Ａから引き出した清掃シート３に溶剤を含浸させる。その後、
清掃シート３の溶剤含浸部分を一対の掻き取りブレード４Ａ，４Ｂ間に位置させ、図２のように空気吸引部１１を上昇させて掻き取りブレード４Ａ，４Ｂを印刷用スクリーン１に押し付ける。
印刷用ペーストを回収しながら、矢印Ｓのように前記印刷用スクリーン１又は清掃シート３の少なくとも一方を移動させ、印刷用スクリーン１の下面（裏面）を拭き取る。
　（２）　当審拒絶理由に引用された引用文献３には、次の記載がある（下線は当審で付した。）。
　ア　「[0038] FIG. 1 shows a front perspective view of a combination stencil printer and dispenser, generally indicated at 100, in accordance with one embodiment of the disclosure. The combination stencil printer and dispenser 100, which is sometimes referred to herein simply as a combination printer, may be configured from a MOMENTUM stencil printer platform identified above. 
The combination printer 100 includes a frame 102 that supports components of the combination printer, including but not limited to a controller 104 located in a cabinet 106 of the combination printer, a stencil 108, and a dispensing head, generally indicated at 110, for dispensing a viscous material, such as solder paste.
（下線部の当審訳：
組み合わせプリンタ100は、組み合わせプリンタのキャビネット106内に配置されたコントローラ104、ステンシル108、及び、全体が110で示されたはんだペーストのような粘性材料を分配する分配ヘッドを含みこれらに限定されない組み合わせプリンタの構成要素を支持するフレーム102を含む。
 　イ　「[0040] In one embodiment, the dispensing head 110 may be configured to receive at least one solder paste cartridge (not shown) that provides the viscous material, such as solder paste, to the dispensing head during a printing operation. In one embodiment, the solder paste cartridge is coupled to one end of a pneumatic air hose in a well-known manner. 
The other end of the pneumatic air hose may be attached to a compressor contained within the frame 102 of the combination printer 100 that, under the control of the controller, provides pressurized air to the cartridge to force solder paste into the dispensing head 110 and onto the stencil 108
（下線部の当審訳：
圧縮空気ホースの他端は、コントローラの制御下で、はんだペーストを分配ヘッド110内とステンシル108上に押し出すために、圧縮空気をカートリッジに供給する組み合わせプリンタ100のフレーム102内に収容されたコンプレッサに取り付けられてもよい。
　ウ　「[0046] In one embodiment, the solvent application device 134 includes a solvent roller that rotates within a bath of solvent to apply solvent onto the paper as the paper moves between the supply roller 136 and the take-up roller 140. In other embodiments, the solvent application device 134 includes a hollow solvent tube with numerous small openings formed along the length of the tube. 
The vacuum plenum 132 includes a wiper blade for removing excess solvent and hardened solder paste from the paper as it travels underneath the stencil 108.
（下線部の当審訳：
真空プレナム132は、ステンシル108の下に移動するペーパから、過剰の溶媒及び硬化したはんだペーストを除去するためのワイパーブレードを含む。
　エ　引用文献３の第３図より、
分配ヘッド110がステンシル108の上部に配置される
　（３）　周知技術１
　上記（２）ア、イ、エより、ステンシルプリンターの技術分野において、ステンシルの上面に材料を塗布する手段を設けることは、周知技術（以下、「周知技術１」という。）であると認められる。
　（４）　周知技術２
　上記（１）、及び、上記（２）ウより、ステンシルプリンターの技術分野において、ワイパーブレードを用いてステンシルの下面を拭くように清掃することは周知技術（以下、「周知技術２」という。）であると認められる。
第６　対比・判断
　１　本願発明１について
　（１）　本願発明１と引用発明１とを対比する。
　ア　引用発明１の「スクリーン」は、上面および下面を有することは明らかであるところ、本願発明１の「上面および下面を有するステンシル」に相当する。
　イ　引用発明１においては「吸引クリーニング手段」の「吸引ロールが前記ロールペーパから成るクリーニングペーパを介して前記スクリーンへ押付けられて前記スクリーンの下面をクリーニング」しているから、本願発明１の「ステンシルワイパー組立体」と引用発明１の「吸引クリーニング手段」とは「前記ステンシルの前記下面を拭く」という点で共通する。
　ウ　上記イを踏まえると、引用発明１の「吸引クリーニング手段」は、本願発明１の「ステンシルワイパー組立体」に相当する。
　エ　引用発明１の「Ｙ軸方向」は、「スキージの移動方向と直角な横方向」であって、本願発明１の「Ｘ軸方向」に相当する。そして、引用発明１の「Ｘ軸方向」は、本願発明１の「Ｙ軸方向」に相当する。
　オ　引用発明１の「案内レール」は、本願発明１の「ステンシルワイパーガントリ」に相当する。
　カ　引用発明１の「吸引クリーニング手段」は、「カメラユニットをＸ軸方向に移動させる上下一対の案内レールによって支持されたキャリッジに設けられ」ているから、「Ｘ軸方向」に移動するものであると認められ、本願発明１の「ステンシルワイパー組立体」と引用発明１の「吸引クリーニング手段」とは本願発明１にいう「Ｙ軸方向に清掃する」という点で共通する。
　キ　引用発明１の「クリーニングヘッド」は、本願発明１の「清掃ヘッド」に相当する。そして、本願発明１の「スポットクリーナー組立体」と引用発明１の「超音波クリーニング手段」とは、「清掃ヘッド」を備えるところの「クリーナー組立体」である点で共通する。
　ク　本願の発明の詳細な説明には「スポット清掃」の明確な定義が記載されているわけではないところ、「点。地点。場所。」（大辞泉）という「スポット」の一般的な意味に照らせば、本願発明１の「スポット清掃」は点状の領域すなわち狭い領域の清掃を意味すると解するのが妥当である。そうすると、本願発明１の「前記ステンシルの前記下面をスポット清掃する」ことと引用発明１の「所定の領域の超音波クリーニング」とは、「前記ステンシルの前記下面のある領域を清掃する」という点で共通する。
　ケ　引用発明１の「吸引、超音波Ｘ軸ドライブ」及び「超音波クリーナＹ軸ドライブ」は、「３種類のクリーニング手段の駆動部の制御系」の「コントローラ」の「出力側に」接続されているから、「吸引クリーニング手段」及び「超音波クリーニング手段」を移動させ「クリーニング領域」を調整するものであるといえ、当該「コントローラ」は、「吸引クリーニング手段」及び「超音波クリーニング手段」の移動を制御し、清掃作業を行う所望の場所に位置決めするものであるといえる。してみると、本願発明１の「コントローラー」と引用発明１の「コントローラ」とは、「前記ステンシルワイパー組立体および前記スポットクリーナー組立体の移動を制御し、前記清掃ヘッドを」「清掃作業を行う所望の場所に位置決めする」という点で共通する。
　コ　引用発明１の「スクリーン印刷装置」は、本願発明１の「ステンシルプリンター」に相当する。
　（２）　以上のことから、本願発明１と引用発明１との一致点及び相違点は、次のとおりである。
　【一致点】
「上面および下面を有するステンシルと、
　前記ステンシルの前記下面をＹ軸方向に清掃するステンシルワイパー組立体であって、前記ステンシルの前記下面を拭くように構成されている、ステンシルワイパー組立体と、
　前記ステンシルワイパー組立体に可動に取り付けられているクリーナー組立体であって、清掃ヘッドを含むと共に、Ｘ軸方向に移動し、前記ステンシルの前記下面のある領域を清掃するように構成されているクリーナー組立体と、
　前記ステンシルワイパー組立体および前記スポットクリーナー組立体の移動を制御し、前記清掃ヘッドを、清掃作業を行う所望の場所に位置決めするように構成されているコントローラーと、を具備するステンシルプリンター。」
　【相違点１】
　本願発明１の「ステンシルプリンター」は「前記ステンシルの前記上面に材料を塗布する材料塗布機」を具備するのに対して、引用発明１ではこれを具備するか否かが明示されていない点。
　【相違点２】
　本願発明１では「ステンシルワイパー組立体」が「前記ステンシルの前記下面に係合し、該ステンシルワイパー組立体がステンシルワイパーガントリに沿って移動するときに前記ステンシルの前記下面を拭くように構成されている」「ワイパーブレード組立体」を有するのに対して、引用発明１ではそのような「ワイパーブレード組立体」を有するか否かが不明である点。
　【相違点３】 
　「クリーナー組立体」に関して、本願発明１では「スポット清掃」すなわち狭い領域の清掃をする「スポットクリーナー組立体」であるのに対して、引用発明１では「所定の領域」の清掃をする「超音波クリーニング手段」である点。
　【相違点４】
　「クリーナー組立体」の「清掃ヘッド」に関して、本願発明１では「余剰のはんだペーストおよびフラックスを収集する交換可能な媒体と、前記交換可能な媒体を濡らす溶剤吐出システムと、前記ステンシルを通して該清掃ヘッドの前記交換可能な媒体に空気を引き込む真空システムとを含んでおり」、「コントローラー」が「前記溶剤吐出システムの動作と、前記清掃ヘッドの揺動または回転と、前記真空システムの動作とを制御する」のに対して、引用発明１では「余剰のはんだペーストおよびフラックスを収集する交換可能な媒体と、前記交換可能な媒体を濡らす溶剤吐出システムと、前記ステンシルを通して該清掃ヘッドの前記交換可能な媒体に空気を引き込む真空システム」を具備しておらず「コントローラ」はその制御をしていない点。
　（３）　検討・判断
　ア　上記相違点４は、本件補正により本願発明１に追加された発明特定事項に関するものであるところ、最初にこれについて検討する。
　引用発明１は、上記相違点４に係る本願発明１の発明特定事項を備えておらず、また、引用文献２及び３には、当該発明特定事項は記載されていない。してみると、当該発明特定事項は、当業者であっても容易に想到し得たことであるとはいえない。
　イ　したがって、他の相違点について検討するまでもなく、本願発明１は、当業者であっても、引用発明１並びに周知技術１及び２に基づいて容易に発明をすることができたものであるとはいえない。
　２　本願発明２ないし１１について
　（１）　本願発明２ないし９は、本願発明１を引用するものであって、上記相違点４に係る本願発明１の発明特定事項を備えるものであるから、本願発明１と同じ理由により、当業者であっても、引用発明１並びに周知技術１及び２に基づいて容易に発明をすることができたものであるとはいえない。
　（２）　本願発明１０は、「スポットクリーナー組立体」の「清掃ヘッド」が「溶剤吐出システムと真空システムとを含」み、「前記清掃ヘッドの交換可能な媒体を濡らす前記溶剤吐出システムの動作と、前記清掃ヘッドの揺動／回転と、前記ステンシルを通して前記清掃ヘッドの前記交換可能な媒体に空気を引き込む前記真空システムの動作とを制御する」という発明特定事項を有するものであるところ、当該発明特定事項は、引用文献１ないし３に記載されておらず、当業者であっても容易に想到し得たことであるとはいえない。してみると、本願発明１０は、当業者であっても、引用発明１並びに周知技術１及び２に基づいて容易に発明をすることができたものであるとはいえない。
　また、本願発明１１は、本願発明１０を引用するものであって、当該発明特定事項を備えるものであるから、本願発明１０と同じ理由により、当業者であっても、引用発明１並びに周知技術１及び２に基づいて容易に発明をすることができたものであるとはいえない。
第７　特許法第３６条に関する当審拒絶理由について
　１　特許法第３６条第６項第２号（明確性）について、当審では、下記の拒絶理由を通知した。
　【請求項１３について】 
　（１）　請求項１３には「溶融吐出システムの動作と・・・を制御する」との記載があるが、「溶融吐出システム」のどのような動作を制御するのかが規定されていないため、請求項１３に係る発明の技術的意義が不明確である。 
　（２）　請求項１３には「前記スポットクリーナー組立体の真空システムとを制御する」との記載があるが、「真空システム」をどのように制御するのかが規定されていないため、請求項１３に係る発明の技術的意義が不明確である。 
　（３）　請求項１３には「溶融吐出システムの動作と、前記清掃ヘッドの揺動／回転と、前記スポットクリーナー組立体の真空システムとを制御する」との記載があるが、「溶融吐出システムの動作」と「前記清掃ヘッドの揺動／回転」は動作に関するものであるが、「前記スポットクリーナー組立体の真空システム」は物品に関するものであり、種類の異なるものが並列にされており、整合が取れていない。 
　（４）　したがって、請求項１３の記載は、特許法第３６条第６項第２号に規定する要件を満たしていない。 
  
　【請求項１４について】 
　（１）　請求項１４には「プリント回路基板および前記ステンシルのうちの一方を検査する」との記載があるが、当該「プリント回路基板」は請求項１４に係る発明における「ステンシルプリンター」により印刷されたものであることが規定されておらず、当該「プリント回路基板」が請求項１４に係る発明における「ステンシルプリンター」と無関係なものである場合、これを検査することの技術的意義が不明確である。 
　（２）　したがって、請求項１４の記載は、特許法第３６条第６項第２号に規定する要件を満たしていない。 
　２　特許法第３６条第６項第２号（明確性）の拒絶理由についての判断
　（１）　本件補正により、請求項１０（本件補正前の請求項１３に対応。）に係る発明において、「溶剤吐出システムの動作」が「清掃ヘッドの交換可能な媒体を濡らす」ことであることが明確になったから、上記１【請求項１３について】（１）の拒絶理由は解消した。
　（２）　本件補正により、請求項１０（本件補正前の請求項１３に対応。）に係る発明において、「真空システム」を、「ステンシルを通して前記清掃ヘッドの前記交換可能な媒体に空気を引き込む」ように制御することが明確になったから、上記１【請求項１３について】（２）の拒絶理由は解消した。
　（３）　本件補正により、請求項１０（本件補正前の請求項１３に対応。）に係る発明において、「溶融吐出システムの動作」と「前記清掃ヘッドの揺動／回転」と「真空システムの動作」とが並列にされることとなり、これらはいずれも動作に関するものであるから、上記１【請求項１３について】（３）の拒絶理由は解消した。
　（４）　本件補正により、請求項１１（本件補正前の請求項１４に対応。）に係る発明において、「プリント回路基板」が 「前記ステンシルプリンターにより印刷された」ものであることが明確になったから、上記１【請求項１４について】（１）の拒絶理由は解消した。
　（５）　したがって、上記１の拒絶理由は解消した。
　３　特許法第３６条第６項第１号（サポート要件）について、当審では、下記の拒絶理由を通知した。
　【請求項１−１４について】 
　（１）　請求項１，１２には「前記スポットクリーナー組立体の前記清掃ヘッドの移動を制御し」との記載がある。 
　これに対して、発明の詳細な説明の段落２９には、「スポットクリーナー組立体」の移動を制御することが記載されていると認められるものの、「スポットクリーナー組立体」の「清掃ヘッド」のみの移動を制御することは発明の詳細な説明に記載も示唆もされておらず、これを含む請求項１，１２に係る発明は発明の詳細な説明に記載した範囲を超えるものである。 
　（２）　上記（１）の点について、請求項１を引用する請求項２−１１、および、請求項１２を引用する請求項１３，１４においても同様である。 
　（３）　したがって、請求項１−１４の記載は、特許法第３６条第６項第１号に規定する要件を満たしていない。 
　４　特許法第３６条第６項第１号（サポート要件）の拒絶理由についての判断
　
　（１）　本件補正により、請求項１の「前記スポットクリーナー組立体の前記清掃ヘッドの移動を制御し」との記載は、「前記スポットクリーナー組立体の移動を制御し」と補正されたから、請求項１に係る上記３の拒絶理由は解消した。
　（２）　そして、請求項１を引用する請求項２−９も、請求項１と同様に、上記３の拒絶理由を有しない。また、本件補正による請求項１０には「前記スポットクリーナー組立体の移動を制御する」と記載されているところ、請求項１０及びこれを引用する請求項１１も、上記３の拒絶理由を有しない。
　（３）　したがって、上記３の拒絶理由は解消した。
第８　原査定についての判断
　請求項１，１４に係る発明の進歩性に関して、原査定の理由に引用された引用文献１ないし３は、当審拒絶理由に引用された引用文献１ないし３と同じであり、引用文献１から主引用発明を認定し、引用文献２及び３から周知技術を認定している点でも、原査定の理由と当審拒絶理由は共通している。
　そして、上記第６のとおり、請求項１−１１に係る発明は、当業者であっても、引用文献１に記載された発明並びに引用文献２及び３に記載された周知技術に基づいて容易に発明をすることができたものであるとはいえないから、原査定の理由は解消した。
第９　むすび
　以上のとおり、原査定の理由及び当審拒絶理由によっては、本願を拒絶することはできない。
　また、他に本願を拒絶すべき理由を発見しない。
　よって、結論のとおり審決する。